(57)【要約】【課題】冷蔵庫庫内の断熱性能を高めた冷蔵庫を提供すること。【解決手段】金属製の外箱１７と、樹脂製の内箱１８と、前記外箱１７と前記内箱１８との間に充填される断熱材１９からなる断熱箱体１２を備えた冷蔵庫１１において、前記断熱箱体１２の背面を形成する背面板１５と、底面を形成する底面板１６とを有し、前記背面板１５と前記底面板１６とを接続し、内部に前記冷蔵庫１１内の溶けた霜を溜める蒸発皿３２を有する樹脂製の基台部材２０を備えた冷蔵庫１１とすることにより、機械室内で発生した熱が基台部材２０を伝導して庫内側に伝導することを軽減することが出来るので、断熱性を高めることができ、省エネ性の優れた冷蔵庫を提供できる。【選択図】図１
2012007776.tif 000002
【特許請求の範囲】
【請求項１】
金属製の外箱と、樹脂製の内箱と、前記外箱と前記内箱との間に充填される断熱材とからなる断熱箱体と、前記断熱箱体の背面を形成する背面板と、底面を形成する底面板と、前記背面板の下部に形成した機械室とを備えた冷蔵庫において、前記機械室は樹脂製の基台部材で形成され、前記基台部材の上部は前記背面板に、下部は前記底面板に接続することを特徴とする冷蔵庫。
【請求項２】
前記機械室内には少なくとも除霜水を溜めて蒸発させる蒸発皿が配置することを特徴とする請求項１の冷蔵庫。
【請求項３】
基台部材の下部には折返し部を備え、折返し部と底面板とを接続し、前記折返し部に断熱材を充填した請求項１または２に記載の冷蔵庫。
【請求項４】
折返し部に、運搬時に手を掛ける把手部を形成した請求項３に記載の冷蔵庫。
【請求項５】
基台部材は天面部、背面部、底面部を一体に形成した断面略コ字状の部材で構成された請求項１から４のいずれか１項に記載の冷蔵庫。
【発明の詳細な説明】
【技術分野】
【０００１】
本発明は、冷蔵庫本体の下部後方に設けられた機械室を樹脂材料で形成したものに関するものである。
【背景技術】
【０００２】
従来、この種の冷蔵庫は、冷蔵庫本体の下部後方に形成した冷蔵庫の機能部品を収納する機械室の天面部を凹部状の樹脂で形成し、台座は鉄板等の金属部品で構成されていた（例えば、特許文献１参照）。
【０００３】
図７は、特許文献１に記載された従来の冷蔵庫の背面下部に設けられた機械室の要部斜視図を示したものである。図７に示すように、外箱１と金属で構成された台座２と、台座２上に配設されている天面と背面と右側面とを構成する樹脂製部材３によって形成された機械室４と、機械室４内に配設された圧縮機５から構成されている。
【先行技術文献】
【特許文献】
【０００４】
【特許文献１】特開２００１−４１６３５号公報
【発明の概要】
【発明が解決しようとする課題】
【０００５】
しかしながら、前記従来の構成では、機械室は樹脂部材によって形成されているので、機械室に配設された圧縮機から発せられた熱が機械室外へ伝導するのを低減し、冷蔵庫庫内の温度上昇を防止するため、省エネに効果があるが、金属部品で構成された台座上に圧縮機が配設されているために、機械室内の熱が台座から冷蔵庫庫内へ伝わり庫内の温度上昇へ影響を及ぼすことが考えられる。
【０００６】
本発明は、前記従来の課題を解決するもので、機械室から庫内への断熱性を高めた冷蔵庫を提供することを目的とする。
【課題を解決するための手段】
【０００７】
前記従来の課題を解決するために、本発明の冷蔵庫は、金属製の外箱と、樹脂製の内箱と、前記外箱と前記内箱との間に充填される断熱材とからなる断熱箱体と、前記断熱箱体の背面を形成する背面板と、底面を形成する底面板と、前記背面板の下部に形成した機械室とを備えた冷蔵庫において、前記機械室は樹脂製の基台部材で形成され、前記基台部材の上部は前記背面板に、下部は前記底面板に接続するものである。
【０００８】
これによって、庫内への熱伝導を軽減させ、断熱性能を更に高めた冷蔵庫を提供することを目的とする。
【発明の効果】
【０００９】
本発明の冷蔵庫は、庫内への熱伝導を軽減させ、断熱性能を更に高めることが可能なので、省エネ性に優れた冷蔵庫を提供することが出来る。
【図面の簡単な説明】
【００１０】
【図１】本発明の実施の形態１における冷蔵庫の略断面図
【図２】本発明の実施の形態１における冷蔵庫底面の概略図
【図３】本発明の実施の形態１における第一把手部の概略図
【図４】本発明の実施の形態１における基台部材の概略図
【図５】本発明の実施の形態１における冷蔵庫の運搬時の概略図
【図６】本発明の実施の形態１における冷蔵庫の運搬時の概略図
【図７】従来の冷蔵庫の背面下部構成概略図
【発明を実施するための形態】
【００１１】
第１の発明は、金属製の外箱と、樹脂製の内箱と、前記外箱と前記内箱との間に充填される断熱材とからなる断熱箱体と、前記断熱箱体の背面を形成する背面板と、底面を形成する底面板と、前記背面板の下部に形成した機械室とを備えた冷蔵庫において、前記機械室は樹脂製の基台部材で形成され、前記基台部材の上部は前記背面板に、下部は前記底面板に接続する。これにより、機械室内で発生した熱は冷蔵庫庫内へ伝達しにくくなり断熱性を高めることができ、省エネ性の高い冷蔵庫を提供可能となる。
【００１２】
第２の発明は、特に、第１の発明において、前記機械室内には少なくとも除霜水を溜めて蒸発させる蒸発皿が配置するので、蒸発皿は樹脂製の基台部材に収納されることとなるので、蒸発皿で発生した熱は冷蔵庫庫内へ伝達しにくくなり断熱性を高めることができ、省エネ性の高い冷蔵庫を提供可能となる。  第３の発明は、特に、第１または第２の発明において、基台部材の下部には折返し部を備え、折返し部と底面板とを接続し、前記折返し部に断熱材を充填した構成とした。これにより、基台部材の底面部と折返し部との間に断熱材が充填可能となるので、強度を確保可能となり、足回りの歪みを低減することが可能である。
【００１３】
第４の発明は、特に、第３の発明において、折返し部に、運搬時に手を掛ける把手部を形成した構成とした。これによって、樹脂製の基台部材で把手部を構成可能となるので、複雑な形状を容易に形成でき、運搬者にとって持ちやすい形状が構成可能となる。
【００１４】
第５の発明は、特に、第１から４のいずれか１つの発明において、基台部材は天面部、背面部、底面部を一体に形成した断面略コ字状の部材で構成とした。これにより、機械室空間が基台部材のみで構成可能となり、また基台部材が樹脂製であるため、複雑な形状が形成可能となり、無駄な空間を軽減させることができるので、庫内容積をＵＰした冷蔵庫を提供できる。
【００１５】
以下、本発明の実施の形態について、図面を参照しながら説明する。なお、この実施の形態によって本発明が限定されるものではない。
【００１６】
（実施の形態１）
図１は本発明の実施の形態１における冷蔵庫の略断面図、図２は本発明の実施の形態１における冷蔵庫底面の概略図、図３は本発明の実施の形態１における第一把手部の概略図、図４は本発明の実施の形態１における基台部材の概略図、を示したものである。
【００１７】
図１〜４において、冷蔵庫１１は、断熱箱体１２と開閉自在に取り付けられた扉１３から構成されている。
【００１８】
冷蔵庫１１は複数の貯蔵室４４で形成され、具体的には、上部から順に冷蔵室４４ａ、切換室４４ｂ、野菜室４４ｃ、冷凍室４４ｄが形成されている。
【００１９】
断熱箱体１２は、冷蔵庫１１の外郭の天面部と両側面部とを一体に折り曲げて形成する金属製の天側面板１４と、背面部を形成する金属製の背面板１５と、底面部を形成する金属製の底面板１６とを溶接による固着やビス等による固定によってなる金属製の外箱１７と、食品などを収納するための空間を形成する樹脂製の内箱１８とから構成されており、
外箱１７と内箱１８の間には断熱材１９が充填されて外郭形成されている。
【００２０】
冷蔵庫１１の底面の後方には、背面板１５と底面板１６を連結固定するための樹脂製の基台部材２０が設けられている。この基台部材２０は天面部、背面部、底面部を有する断面略コ字状の部材で構成されている。背面板１５と基台部材２０の上部にある天面部とを接続固定する。また、基台部材２０の底面部は折返し部２１を一体に備え、基台部材２０の下部にある折返し部２１と冷蔵庫１１の底面板１６とを接続固定する構成としている。
【００２１】
したがって図１のように、折返し部２１は、内箱１８と底面板１６との間に形成される空間に連通している。
【００２２】
そして断熱材１９は内箱１８と、接続された背面板１５と基台部材２０と底面板１６との間に充填され、さらに上記のように、折返し部２１は、内箱１８と底面板１６との間に形成される空間に連通しているので基台部材２０の底面部と折返し部２１との間に断熱材１９が充填される。
【００２３】
また図４のように、基台部材２０は側面壁２０ａを形成しているので、側面壁２０ａと外郭の天側面板１４との間にも断熱材１９が充填される。
【００２４】
これによって冷蔵庫１１の後方下部に樹脂製の基台部材２０を形成しても、冷蔵庫１１の重量に対する剛性および強度を確保できる。
【００２５】
また折返し部２１を形成しているので、基台部材２０の下部に充填される断熱材１９の壁厚寸法は、冷凍室４４ｄの底面部と底面板１６間の壁厚寸法よりも薄くすることができる。
【００２６】
基台部材２０内で発生した熱が冷蔵庫庫内へ伝わり庫内の温度上昇へ影響を及ぼすのを低減できる。
【００２７】
断熱箱体１２は天面後方部を窪ませた凹み部に第一機械室２２を設けてある。第一機械室２２には圧縮機２３と、凝縮器２４と、凝縮器冷却用ファン（図示せず）等を収納している。圧縮機２３と、凝縮器２４と、凝縮器冷却用ファン（図示せず）等を収納している台座２２ａは樹脂製である。したがって樹脂製の第一機械室２２内で上記機能部品から発生する熱が台座２２ａを伝わって断熱材１９を介して隣接する冷蔵室４４ａへの熱侵入を低減できる。
【００２８】
冷蔵庫１１の背面には、外箱１７と内箱１８との間に冷却室２５が設けられている。冷却室２５には、冷却器２６と、強制対流式による庫内ファン２７と、冷却時に冷却器２６に付着する霜を除霜するラジアントヒータ２８と、ラジアントヒータ２８の加熱によって冷却器２６に付着した霜が除霜された水を受けるドレンパン２９と、ドレンパン２９で受けた水を排水するための排水管３０から構成されている。また、排水管３０から排水された水は、基台部材２０で構成された樹脂製の第二機械室３１には樹脂製の蒸発皿３２が備えられ、この蒸発皿３２に冷却器２６の除霜水が溜まるように構成されている。
【００２９】
冷凍室４４ｄの後方には第二機械室３１が配置する構成となっている。
【００３０】
上記のように、折返し部２１にも断熱材１９は充填されるので、基台部材２０の下部、すなわち第二機械室３１の下部にも断熱材１９が充填されて埋設されるので、第二機械室３１の強度を確保できる。  また、凝縮機２４からは凝縮パイプ３３が蒸発皿３２内を経由するように配設されており、凝縮パイプ３３の一部を蒸発皿３２に浸るように配設して
おり、蒸発皿３２に浸っている凝縮パイプ３３の一部を浸漬パイプ３４とした構成としている。
【００３１】
また、冷蔵庫１１の底面の前面左右には、冷蔵庫１１を運搬する時に使用するために、左右同形状で第一把手部４０が設けられており、左側の第一把手部４０ａ、右側の第一把手部４０ｂが配設されている。第一把手部４０は、樹脂で形成されており、手を挿入可能な孔部４１が設けられており、孔部４１の周縁には手を掛けることが可能である手掛け部４２を設けている。
【００３２】
また、基台部材２０の折返し部２１には、右側の第一把手部４０ｂに設けられた手掛け部４２に相対する位置に第二把手部４３が形成されている。  以上のように構成された冷蔵庫１１について、以下その動作、作用を説明する。
【００３３】
まず、冷凍サイクルの動作について説明する。庫内の設定された温度に応じて制御基盤（図示せず）からの信号により冷凍サイクルが動作して冷却運転が行われる。圧縮機２３の動作により吐出された高温高圧の冷媒は、凝縮器３４と、凝縮パイプ３３と、浸漬パイプ３４にて放熱して凝縮液化し、キャピラリ（図示せず）に至る。その後、キャピラリではサクションライン（図示せず）と熱交換しながら減圧されて低温低圧の液冷媒となって冷却器２６に至る。
【００３４】
そして、庫内ファン２７の動作により、内箱によって形成された貯蔵室４４内の空気と熱交換されて冷却器２６内の冷媒は蒸発気化する。低温の冷気をダンパ（図示せず）などで分配することで各貯蔵室４４内の冷却を行う。冷却器２６を出た冷媒はサクションラインを経て圧縮機２３へと吸い込まれる。
【００３５】
一定時間、各貯蔵室４４の冷却を行った後、冷却器２６に付着した霜を除去するために、圧縮機２３を停止させて、ラジアントヒータ２８に通電される。すると、冷却器２６に付着した霜が溶解し、ドレンパン２９上に滴下し、排水管３０を経由して、蒸発皿３２に滞留する。
【００３６】
冷却器２６の霜が除去された後、ラジアントヒータ２８の通電が終了し、再度、圧縮機２３が動作する。蒸発皿３２に滞留した水は、圧縮機２３の動作中、浸漬パイプ３４により加熱され蒸発する。
【００３７】
次に、冷蔵庫１１を運搬する時について述べる。冷蔵庫１１を運搬する時は、図５に示すように、冷蔵庫１１を後方に傾けて運搬する時は、１人が冷蔵庫の背面上部両端部５０を、もう１人が第一把手部４０の孔部４１に手を挿入することによって運搬することが可能となる。
【００３８】
また、図６に示すように、冷蔵庫１１を横方向に傾けて運搬する時は、１人が冷蔵庫１１の側面上部両端部５１を、もう１人が第一把手部４０ｂに設けられた手掛け部４２と、第二把手部４３を持つことによって運搬可能となる。ここで、第二把手部４３は冷蔵庫１１正面から見て右側に設けた第一把手部４０ｂの手掛け部４２に相対する位置に設けており、冷蔵庫１１の右側面が上側になるような運搬方法としている。
【００３９】
したがって、後方へ傾けての運搬、及び横方向に傾けての運搬が任意に選択可能となる構成としている。なお、第二把手部４３を形成する位置は、右側の第一把手部４０ｂに相対する位置に形成しても何ら問題ない。また、左側の第一把手部４０ａと右側の第一把手部４０ｂとに相対する位置の２箇所に設けることによって、運搬する時には、左右どちらへも傾けて運搬できるため、運搬者にとっては使い勝手が良くなる。
【００４０】
以上のように本実施の形態においては、浸漬パイプ３４によって蒸発皿３２内に溜まった水は加熱され蒸発すると同時に、浸漬パイプ３４の熱によって、蒸発皿３２周辺の雰囲気温度を上昇させ、冷蔵庫１１の庫内へ熱伝導し、庫内へ温度影響を与えることとなる。しかし、冷蔵庫１１の背面底部に設けた樹脂製の基台部材２０に蒸発皿３２を配設した構成とすることによって、金属製の基台部材とするよりも、樹脂製にすることによって、基台部材２０からの熱伝導による庫内への温度影響を軽減することが可能となり、省エネ性の高い冷蔵庫を提供できる。
【００４１】
また、基台部材２０の底面部は折返し部２１を備え、折返し部２１と底面板１６とを接続し、折返し部２１内に断熱材を充填した構成としている。これにより、基台部材２０の強度を強くすることが可能となり、足回りの歪みを低減することが可能である。
【００４２】
また、基台部材２０の折返し部２１に、運搬時に手を掛けるための第二把手部４３を形成した構成とした。これによって、冷蔵庫１１を運搬する時の把手部などは、一般的には別部品を取り付けて構成するなどといった方法が取られていたため、コストが掛かっていたが、樹脂製の基台部材２０を配設することで、把手部を構成可能となるので、複雑な形状を容易に形成でき、運搬者にとって持ちやすい形状が構成可能となる。
【００４３】
また、基台部材の周囲には断熱材が充填されており、断熱材により補強されているので、第二把手部４３は強度的にも安心安全である構成とすることができる。
【００４４】
また、基台部材２０は天面部、背面部、底面部を有する断面略コ字状の部材で構成とした。これにより、蒸発皿３２が収納される第二機械室３１を基台部材２０のみで構成可能となり、また樹脂製の基台部材２０であるため、金属を用いて板金加工を行い形成するよりも、複雑な形状が形成可能となり、必要なスペースだけを形成可能となり、無駄なスペースを無くすことができるので、庫内容積をＵＰした使い勝手の良い冷蔵庫を提供できる。
【００４５】
なお、本実施の形態では、最下部に冷凍室４４ｄとしたが、最下部に野菜室４４ｃがある構成でもよい。また冷蔵庫の天面後方部に圧縮機２３等を配設するための機械室を設けた構成としているが、蒸発皿３２を配設している基台部材２０に圧縮機２３等を配設する構成としても、本発明の目的を達成することができるので何ら問題はない。
【産業上の利用可能性】
【００４６】
以上のように、本発明にかかる冷蔵庫は、熱源から庫内への熱伝導を軽減できるので、業務用冷蔵庫や自動販売機、その他の冷却機器などへの構成として利用することができる。
【符号の説明】
【００４７】
１１  冷蔵庫
１２  断熱箱体
１５  背面板
１６  底面板
１７  外箱
１８  内箱
１９  断熱材
２０  基台部材
２１  折返し部
３２  蒸発皿
４３  第二把手部
【図１】
2012007776.tif 000003
【図２】
2012007776.tif 000004
【図３】
2012007776.tif 000005
【図４】
2012007776.tif 000006
【図５】
2012007776.tif 000007
【図６】
2012007776.tif 000008
【図７】
2012007776.tif 000009